(57)【特許請求の範囲】
【請求項１】
流体を蒸気圧縮式の冷凍回路における蒸発器において冷凍回路冷媒との熱交換により冷却する流体冷却方法であって、
被冷却流体の蒸発器出口温度設定値に対応する圧縮機吸込圧力設定値を設定し、
圧縮機吸込圧力設定値が圧縮機吸込圧力上限値以下のときには、低温モード運転として、蒸発器冷媒出口と圧縮機冷媒入口との間に介在させた蒸発圧力制御弁を全開にした状態で、圧縮機出力の調整による蒸発圧力の調整により被冷却流体の蒸発器出口温度を蒸発器出口温度設定値に調整し、
圧縮機吸込圧力設定値が圧縮機吸込圧力上限値より高いときには、高温モード運転として、圧縮機出力の調整により圧縮機吸込圧力を圧縮機吸込圧力上限値に調整するとともに、蒸発圧力制御弁の開度の調整による蒸発圧力の調整により被冷却流体の蒸発器出口温度を蒸発器出口温度設定値に調整する流体冷却方法。
【請求項２】
低温モード運転及び高温モード運転の夫々において、冷凍回路における膨張弁の開度の調整により、圧縮機吸込圧力飽和温度における過熱度を過熱度設定値に調整する請求項１記載の流体冷却方法。
【請求項３】
圧縮機吸込圧力設定値を設定するのに、
被冷却流体の蒸発器出口温度設定値から蒸発器伝熱壁の内外温度差を減算した値を蒸発温度設定値とし、
蒸発温度と蒸発圧力との相関に従って蒸発温度設定値をそれに対応する蒸発圧力設定値に換算し、
この蒸発圧力設定値から蒸発圧力制御弁における圧力損失値を減算した値を圧縮機吸込圧力設定値として設定する請求項１又は２記載の流体冷却方法。
【請求項４】
流体を蒸気圧縮式の冷凍回路における蒸発器において冷凍回路冷媒との熱交換により冷却する流体冷却装置であって、
装置を運転制御する制御手段を備え、
この制御手段は、被冷却流体の蒸発器出口温度設定値に対応する圧縮機吸込圧力設定値を設定するとともに、
圧縮機吸込圧力設定値が圧縮機吸込圧力上限値以下のときには、低温モード運転として、蒸発器冷媒出口と圧縮機冷媒入口との間に介在させた蒸発圧力制御弁を全開にした状態で、圧縮機出力の調整による蒸発圧力の調整により被冷却流体の蒸発器出口温度を蒸発器出口温度設定値に調整し、
圧縮機吸込圧力設定値が圧縮機吸込圧力上限値より高いときには、高温モード運転として、圧縮機出力の調整により圧縮機吸込圧力を圧縮機吸込圧力上限値に調整するとともに、蒸発圧力制御弁の開度の調整による蒸発圧力の調整により被冷却流体の蒸発器出口温度を蒸発器出口温度設定値に調整する構成にしてある流体冷却装置。
【請求項５】
前記制御手段は、低温モード運転及び高温モード運転の夫々において、冷凍回路における膨張弁の開度の調整により圧縮機吸込圧力飽和温度における過熱度を過熱度設定値に調整する構成にしてある請求項４記載の流体冷却装置。
【請求項６】
前記制御手段は、圧縮機吸込圧力設定値を設定するのに、
被冷却流体の蒸発器出口温度設定値から蒸発器伝熱壁の内外温度差を減算した値を蒸発温度設定値とし、
蒸発温度と蒸発圧力との相関に従って蒸発温度設定値をそれに対応する蒸発圧力設定値に換算し、
この蒸発圧力設定値から蒸発圧力制御弁における圧力損失値を減算した値を圧縮機吸込圧力設定値として設定する構成にしてある請求項４又は５記載の流体冷却装置。
【請求項７】
前記制御手段は、圧縮機吸込圧力設定値が圧縮機吸込圧力上限値以下の値から圧縮機吸込圧力上限値より高い値になったとき、低温モード運転から高温モード運転へ移行する高温側過渡運転として、
蒸発圧力制御弁を全開にした状態で、圧縮機出力の調整により圧縮機吸込圧力を圧縮機吸込圧力上限値に調整する制御を開始し、
その後、圧縮機吸込圧力が圧縮機吸込圧力上限値に至った後に、蒸発圧力制御弁の開度の調整による蒸発圧力の調整により被冷却流体の蒸発器出口温度を蒸発器出口温度設定値に調整する制御を開始して、高温モード運転に移行する構成にしてある請求項４〜６のいずれか１項に記載の流体冷却装置。
【請求項８】
前記制御手段は、高温側過渡運転において、
蒸発圧力制御弁を全開にするとともに、膨張弁の開度を高温側過渡運転の開始時における開度に保持した状態で、圧縮機出力の調整により圧縮機吸込圧力を圧縮機吸込圧力上限値に調整する制御を開始し、
その後、圧縮機吸込圧力が圧縮機吸込圧力上限値に至るまでの間、膨張弁の開度変化速度を緩速度に制限した状態での膨張弁開度の調整により圧縮機吸込圧力飽和温度における過熱度を過熱度設定値に調整する制御を実行する構成にしてある請求項７記載の流体冷却装置。
【請求項９】
前記制御手段は、圧縮機吸込圧力設定値が圧縮機吸込圧力上限値より高い値から圧縮機吸込圧力上限値以下の値になったとき、高温モード運転から低温モード運転へ移行する低温側過渡運転として、
所定時間の間、圧縮機出力の調整により圧縮機吸込圧力を圧縮機吸込圧力上限値に調整する制御を維持するとともに、蒸発圧力制御弁の開度の調整による蒸発圧力の調整により被冷却流体の蒸発器出口温度を蒸発器出口温度設定値に調整する制御を維持して、高温モード運転を保持し、
続いて、蒸発圧力制御弁の開度をそのときの開度に保持した状態で圧縮機出力の調整により圧縮機吸込圧力を圧縮機吸込圧力設定値に調整する制御を開始し、
更に続いて、圧縮機吸込圧力が圧縮機吸込圧力設定値に至った後に、圧縮機出力の調整により圧縮機吸込圧力を圧縮機吸込圧力設定値に調整する制御を継続しながら、蒸発圧力制御弁の開度変化速度を緩速度に制限した状態で蒸発圧力制御弁の開度を全開開度まで増大させる制御を開始し、
その後、蒸発圧力制御弁の開度が全開開度に至った後に、圧縮機出力の調整による蒸発圧力の調整により被冷却流体の蒸発器出口温度を蒸発器出口温度設定値に調整する制御を開始して、低温モード運転に移行する構成にしてある請求項４〜８のいずれか１項に記載の流体冷却装置。
【請求項１０】
前記制御手段は、低温側過渡運転において、
所定時間の間、高温モード運転を保持した後、蒸発圧力制御弁の開度をそのときの開度に保持するとともに膨張弁の開度をそのときの開度に保持した状態で圧縮機出力の調整により圧縮機吸込圧力を圧縮機吸込圧力設定値に調整する制御を開始し、
その後、圧縮機出力の調整により圧縮機吸込圧力を圧縮機吸込圧力設定値に調整する制御を継続しながら、蒸発圧力制御弁の開度変化速度を緩速度に制限した状態で蒸発圧力制御弁の開度を全開開度まで増大させる制御を開始して、蒸発圧力制御弁の開度が全開開度に至るまでの間、膨張弁の開度変化速度を緩速度に制限した状態での膨張弁開度の調整により圧縮機吸込圧力飽和温度における過熱度を過熱度設定値に調整する制御を実行する構成にしてある請求項９記載の流体冷却装置。
【請求項１１】
圧縮機冷媒出口を圧縮機冷媒入口に短絡する第１短絡路を設けるとともに、凝縮器冷媒出口を圧縮機冷媒入口に短絡する第２短絡路を設け、
第１短絡路に、その第１短絡路を開閉するとともに第１短絡路を通じた圧縮機吐出冷媒の短絡流量を調整する第１制御弁を介在させ、
第２短絡路に、その第２短絡路を開閉するとともに第２短絡路を通じた凝縮器送出冷媒の短絡流量を調整する第２制御弁を介在させ、
前記制御手段は、圧縮機回転数が圧縮機回転数下限値より大きい状態では、
第１短絡路を第１制御弁により閉じるとともに第２短絡路を第２制御弁により閉じた状態で、圧縮機回転数の調整により圧縮機出力を調整し、
圧縮機回転数が圧縮機回転数下限値に至った状態では、
第２短絡路を通じた凝縮器送出冷媒の短絡流量を第２制御弁により調整して圧縮機入口冷媒温度を圧縮機入口冷媒温度設定値に調整するとともに、第１短絡路を通じた圧縮機吐出冷媒の短絡流量を第１制御弁により調整することで、圧縮機出力を調整する構成にしてある請求項４〜１０のいずれか１項に記載の流体冷却装置。
【発明の詳細な説明】
【技術分野】
【０００１】
本発明は流体冷却方法及び流体冷却装置に関し、詳しくは、空気などの冷却対象流体を蒸気圧縮式の冷凍回路における蒸発器において冷凍回路冷媒との熱交換により冷却する流体冷却方法、及び、その流体冷却方法の実施に好適な流体冷却装置に関する。
【背景技術】
【０００２】
蒸発器での流体冷却においては、圧縮機のオーバーヒートを防止するなどの観点から圧縮機吸込圧力ｐｓの許容範囲（例えば、圧縮機吸込圧力飽和温度ｔｐｓよる表現で示せば−５℃〜−４０℃の範囲など）が規定される。
【０００３】
この為、空調用空気の冷却において例えば−３０℃〜＋５０℃といった広範な温度調整範囲が要求される環境試験室などでは、特許文献１に見られるように、要求される温度調整範囲のうちの低温領域については、蒸発器で直接に空気を冷却するいわゆる直膨方式を採用するのに対し、高温領域については冷水により空気を冷却する冷水方式を採用する直膨・冷水併用方式が提案されている。
【０００４】
また、低温領域で直膨方式を採用するのに対し、高温領域では直膨方式で一旦冷却した空気をヒータにより再加熱することで所要の温度に調整するといった直膨・再加熱方式も多く採用されている。
【先行技術文献】
【特許文献】
【０００５】
【特許文献１】特開平６−３２３５７６号公報
【発明の概要】
【発明が解決しようとする課題】
【０００６】
しかし、上述した従来の各方式では、冷凍回路に加えて併用方式化のための付帯機器が必要になることで、装置コストが高く付くとともに、装置が大型化して装置設置に大きなスペースを要する問題があり、また、それら付帯機器によるエネルギ消費のために装置全体としてのエネルギ消費量が大きくなって、運転コスト面や省エネルギ面で不利になる問題もあった。
【０００７】
この実情に鑑み、本発明の主たる課題は、流体の冷却において冷凍回路の調整のみで対応し得る温度調整範囲を効果的に拡大して、上記の如き問題を解消する点にある。
【課題を解決するための手段】
【０００８】
以下、理解を容易にするため主要要素には後述する実施形態で用いるのと同じ参照符号を付記する。
【０００９】
本発明の第１特徴構成は流体冷却方法に係り、その特徴は、
流体Ａを蒸気圧縮式の冷凍回路における蒸発器において冷凍回路冷媒との熱交換により冷却する流体冷却方法であって、
被冷却流体Ａの蒸発器出口温度設定値ｔｏｓに対応する圧縮機吸込圧力設定値ｐｓｓを設定し、
圧縮機吸込圧力設定値ｐｓｓが圧縮機吸込圧力上限値ｐｓｕ以下のとき（ｐｓｓ≦ｐｓｕ）には、低温モード運転として、蒸発器冷媒出口と圧縮機冷媒入口との間に介在させた蒸発圧力制御弁ＭＶｅを全開にした状態で、圧縮機出力Ｇの調整による蒸発圧力ｐｅの調整により被冷却流体Ａの蒸発器出口温度ｔｏを蒸発器出口温度設定値ｔｏｓに調整し、
圧縮機吸込圧力設定値ｐｓｓが圧縮機吸込圧力上限値ｐｓｕより高いとき（ｐｓｓ＞ｐｓｕ）には、高温モード運転として、圧縮機出力Ｇの調整により圧縮機吸込圧力ｐｓを圧縮機吸込圧力上限値ｐｓｕに調整するとともに、蒸発圧力制御弁ＭＶｅの開度の調整による蒸発圧力ｐｅの調整により被冷却流体Ａの蒸発器出口温度ｔｏを蒸発器出口温度設定値ｔｏｓに調整する点にある。
【００１０】
図５の左図（ａ），及び，中央図（ｂ）は上記冷却方法における低温モード運転を示すモリエル線図であり、同図に示すように、この低温モード運転では、被冷却流体Ａの蒸発器出口温度設定値ｔｏｓが低くて、それに対応する圧縮機吸込圧力設定値ｐｓｓが圧縮機吸込圧力上限値ｐｓｕ以下の条件（ｐｓｓ≦ｐｓｕ）にあることに対して、圧縮機出力Ｇの調整による蒸発圧力ｐｅの調整により被冷却流体Ａの蒸発器出口温度ｔｏを蒸発器出口温度設定値ｔｏｓに調整する一般的な調整方式を採る。この冷温モード運転において蒸発圧力制御弁ＭＶｅは全開である。
【００１１】
なお、図５の中央図（ｂ）は、次記の高温モード運転への切り換え近傍状態にある低温モード運転を示す。
【００１２】
また、図５の右図（ｃ）は上記冷却方法における高温モード運転を示すモリエル線図であり、同図に示すように、この高温モード運転では、被冷却流体Ａの蒸発器出口温度設定値ｔｏｓが高くて、それに対応する圧縮機吸込圧力設定値ｐｓｓが圧縮機吸込圧力上限値ｐｓｕより高い条件（ｐｓｓ＞ｐｓｕ）にあることに対して、圧縮機出力Ｇの調整により圧縮機吸込圧力ｐｓを圧縮機吸込圧力上限値ｐｓｕに調整しながら、蒸発圧力制御弁ＭＶｅの開度の調整（略言すれば、蒸発圧力制御弁ＭＶｅの調整機能）による蒸発圧力ｐｅの調整により被冷却流体Ａの蒸発器出口温度ｔｏを蒸発器出口温度設定値ｔｏｓに調整する調整方式を採る。
【００１３】
即ち、被冷却流体Ａの蒸発器出口温度設定値ｔｏｓに対応する圧縮機吸込圧力設定値ｐｓｓが圧縮機吸込圧力上限値ｐｓｕより高い条件（ｐｓｓ＞ｐｓｕ）において、低温モード運転と同様の一般的な調整方式を採って、圧縮機出力Ｇの調整のみによる蒸発圧力ｐｅの調整で被冷却流体Ａの蒸発器出口温度ｔｏを蒸発器出口温度設定値ｔｏｓに調整するのでは、実際の圧縮機吸込圧力ｐｓ（圧縮機吸込圧力設定値ｐｓｓに相当）が圧縮機吸込圧力上限値ｐｓｕを超えてしまうが、このような条件において上記の高温モード運転を実施することにより、実際の圧縮機吸込圧力ｐｓを圧縮機吸込圧力上限値ｐｓｕに保ちながら、被冷却流体Ａの蒸発器出口温度ｔｏを蒸発器出口温度設定値ｔｏｓに調整する。
【００１４】
従って、この第１特徴構成の冷却方法によれば、圧縮機吸込圧力上限値ｐｓｕの存在にかかわらず、冷凍回路の調整のみで対応し得る温度調整範囲を効果的に拡大することができて、被冷却流体Ａの冷却において要求される広範な温度調整範囲に対して冷凍回路の調整のみで対応することができ、これにより、先述の直膨・冷水併用方式や直膨・再加熱併用方式に比べ、併用方式化のための付帯機器を不要にして、装置コストを低減し得るとともに、装置を小型にして装置設置に要するスペースを小さくすることができる。
【００１５】
また、付帯機器でのエネルギ消費による装置全体としてのエネルギ消費量の増大も回避することができて、運転コストを安価にし得るとともに、省エネルギ化も効果的に促進することができる。
【００１６】
なお、この冷却方法において、被冷却流体Ａの蒸発器出口温度設定値ｔｏｓに対応する圧縮機吸込圧力設定値ｐｓｓとは、圧縮機出力Ｇの調整のみによる蒸発圧力ｐｅの調整により被冷却流体Ａの蒸発器出口温度ｔｏを蒸発器出口温度設定値ｔｏｓに調整した場合における実際の圧縮機吸込圧力ｐｓに相当する値を云う。
【００１７】
従って、被冷却流体Ａの蒸発器出口温度設定値ｔｏｓに対応する圧縮機吸込圧力設定値ｐｓｓは、装置の設計データや装置特性の測定データなどに基づいて被冷却流体Ａの蒸発器出口温度設定値ｔｏｓに応じ種々の設定手法により設定することができる。
【００１８】
本発明の第２特徴構成は上記冷却方法に係り、その特徴は、
低温モード運転及び高温モード運転の夫々において、冷凍回路における膨張弁Ｅｘの開度の調整により、圧縮機吸込圧力飽和温度ｔｐｓにおける過熱度ｓｈを過熱度設定値ｓｈｓに調整する点にある。
【００１９】
一般に過熱度調整は蒸発温度ｔｅにおける過熱度ｓｈ′を膨張弁開度の調整により過熱度設定値ｓｈｓ′に調整する方式が採られるが、蒸発器冷媒出口と圧縮機冷媒入口との間に蒸発圧力制御弁ＭＶｅを介在させる前記冷却方法では、蒸発温度ｔｅにおける過熱度ｓｈ′を過熱度設定値ｓｈｓ′に調整する一般の過熱度調整方式を採った場合、被冷却流体Ａの蒸発器出口温度設定値ｔｏｓが高くて蒸発温度ｔｅが高いとき（特に高温モード運転のとき）に、図５の右図（ｃ）において破線で示すように、圧縮機入口冷媒温度ｔｓ′がかなり高くなって圧縮機のオーバーヒートを招く危険性が高くなる。
【００２０】
これに対し、この第２特徴構成の冷却方法によれば、上記の如く圧縮機吸込圧力飽和温度ｔｐｓにおける過熱度ｓｈを膨張弁開度の調整により過熱度設定値ｓｈｓに調整する方式を採ることで、蒸発温度ｔｅにおける過熱度ｓｈ′を過熱度設定値ｓｈｓ′に調整する一般の過熱度調整方式に比べ、図５の右図（ｃ）において実線で示すように、圧縮機入口冷媒温度ｔｓを効果的に低くすることができ、これにより、圧縮機のオーバーヒートを一層確実に防止することができる。
【００２１】
なお、この第２特徴構成の冷却方法では、蒸発器冷媒出口における気相冷媒中に液冷媒が若干残る可能性が高くなるが、蒸発圧力制御弁ＭＶｅの機能により冷媒は全てガス化されて圧縮機に吸い込まれる。しかし、配管内に残った液冷媒や潤滑油が圧縮機の起動時において圧縮機に吸い込まれるのを防止するため、蒸発器冷媒出口と圧縮機冷媒入口との間にはアキュムレータを介在させるのが望ましい。
【００２２】
本発明の第３特徴構成は上記冷却方法に係り、その特徴は、
圧縮機吸込圧力設定値ｐｓｓを設定するのに、
被冷却流体Ａの蒸発器出口温度設定値ｔｏｓから蒸発器伝熱壁の内外温度差Δｔを減算した値を蒸発温度設定値ｔｅｓ（＝ｔｏｓ−Δｔ）とし、
蒸発温度ｔｅと蒸発圧力ｐｅとの相関に従って蒸発温度設定値ｔｅｓをそれに対応する蒸発圧力設定値ｐｅｓに換算し、
この蒸発圧力設定値ｐｅｓから蒸発圧力制御弁ＭＶｅにおける圧力損失値Δｐを減算した値を圧縮機吸込圧力設定値ｐｓｓ（＝ｐｅｓ−Δｐ）として設定する点にある。
【００２３】
このような圧縮機吸込圧力設定値ｐｓｓの設定において（図３参照）、蒸発温度ｔｅと蒸発圧力ｐｅとの相関は、冷媒回路冷媒の温度と圧力の関係から得られる周知の相関である。
【００２４】
従って、上記の如く圧縮機吸込圧力設定値ｐｓｓを設定するのであれば、実質的に、蒸発器伝熱壁の内外温度差Δｔのデータ（換言すれば、被冷却流体Ａの蒸発器出口温度ｔｏと蒸発温度ｔｅとの温度差データ）、及び、蒸発圧力制御弁ＭＶｅでの圧力損失値Δｐのデータを装置の設計値データや測定値データなどから準備するだけですみ、この点で、前記冷却方法の実施を容易にすることができる。
【００２５】
なお、前述した第１特徴構成の冷却方法を実施するにあたっては、後述する第７〜第１１特徴構成の冷却装置において制御手段が実行する制御動作を人為的に行なうようにしてもよい。
【００２６】
本発明の第４特徴構成は流体冷却装置に係り、その特徴は、
流体を蒸気圧縮式の冷凍回路における蒸発器において冷凍回路冷媒との熱交換により冷却する流体冷却装置であって、
装置を運転制御する制御手段を備え、
この制御手段は、被冷却流体Ａの蒸発器出口温度設定値ｔｏｓに対応する圧縮機吸込圧力設定値ｐｓｓを設定するとともに、
圧縮機吸込圧力設定値ｐｓｓが圧縮機吸込圧力上限値ｐｓｕ以下のとき（ｐｓｓ≦ｐｓｕ）には、低温モード運転として、蒸発器冷媒出口と圧縮機冷媒入口との間に介在させた蒸発圧力制御弁ＥＶｅを全開にした状態で、圧縮機出力Ｇの調整による蒸発圧力ｐｅの調整により被冷却流体Ａの蒸発器出口温度ｔｏを蒸発器出口温度設定値ｔｏｓに調整し、
圧縮機吸込圧力設定値ｐｓｓが圧縮機吸込圧力上限値ｐｓｕより高いとき（ｐｓｓ＞ｐｓｕ）には、高温モード運転として、圧縮機出力Ｇの調整により圧縮機吸込圧力ｐｓを圧縮機吸込圧力上限値ｐｓｕに調整するとともに、蒸発圧力制御弁ＭＶｅの開度の調整による蒸発圧力ｐｅの調整により被冷却流体Ａの蒸発器出口温度ｔｏを蒸発器出口温度設定値ｔｏｓに調整する構成にしてある点にある。
【００２７】
この第４特徴構成の冷却装置によれば、前述した第１特徴構成の冷却方法を制御手段の制御動作により自動的に実施することができ、この点で、前記冷却方法の実施を容易にすることができる。
【００２８】
本発明の第５特徴構成は上記冷却装置に係り、その特徴は、
前記制御手段は、低温モード運転及び高温モード運転の夫々において、冷凍回路における膨張弁Ｅｘの開度の調整により圧縮機吸込圧力飽和温度ｔｐｓにおける過熱度ｓｈを過熱度設定値ｓｈｓに調整する構成にしてある点にある。
【００２９】
この第５特徴構成の空調装置によれば、前述した第２特徴構成の冷却方法を制御手段の制御動作により自動的に実施することができ、この点で、前記冷却方法の実施を容易にすることができる。
【００３０】
本発明の第６特徴構成は上記冷却装置に係り、その特徴は、
前記制御手段は、圧縮機吸込圧力設定値ｐｓｓを設定するのに、
被冷却流体の蒸発器出口温度設定値ｔｏｓから蒸発器伝熱壁の内外温度差Δｔを減算した値を蒸発温度設定値ｔｅｓ（＝ｔｏｓ−Δｔ）とし、
蒸発温度ｔｅと蒸発圧力ｐｅとの相関に従って蒸発温度設定値ｔｅｓをそれに対応する蒸発圧力設定値ｐｅｓに換算し、
この蒸発圧力設定値ｐｅｓから蒸発圧力制御弁ＭＶｅにおける圧力損失値Δｐを減算した値を圧縮機吸込圧力設定値ｐｓｓ（＝ｐｅｓ−Δｐ）として設定する構成にしてある点にある。
【００３１】
この第６特徴構成の冷却装置によれば、前述した第３特徴構成の冷却方法を制御手段の制御動作により自動的に実施することができ、この点で、前記冷却方法の実施を一層容易にすることができる。
【００３２】
本発明の第７特徴構成は上記冷却装置に係り、その特徴は、
前記制御手段は、圧縮機吸込圧力設定値ｐｓｓが圧縮機吸込圧力上限値ｐｓｕ以下の値から圧縮機吸込圧力上限値ｐｓｕより高い値になったとき、低温モード運転から高温モード運転へ移行する高温側過渡運転として、
蒸発圧力制御弁ＭＶｅを全開にした状態で、圧縮機出力Ｇの調整により圧縮機吸込圧力ｐｓを圧縮機吸込圧力上限値ｐｓｕに調整する制御を開始し、
その後、圧縮機吸込圧力ｐｓが圧縮機吸込圧力上限値ｐｓｕに至った後に、蒸発圧力制御弁ＭＶｅの開度の調整による蒸発圧力ｐｅの調整により被冷却流体Ａの蒸発器出口温度ｔｏを蒸発器出口温度設定値ｔｏｓに調整する制御を開始して、高温モード運転に移行する構成にしてある点にある。
【００３３】
前記冷却装置において、被冷却流体Ａの蒸発器出口温度設定値ｔｏｓが高温側へ変更されて、圧縮機吸込圧力設定値ｐｓｓが圧縮機吸込圧力上限値ｐｓｕ以下の値（ｐｓｓ≦ｐｓｕ）から圧縮機吸込圧力上限値ｐｓｕより高い値（ｐｓｓ＞ｐｓｕ）になったとき、それまでの低温モード運転を直ちに高温モード運転に切り換えると、高温側へ変更された被冷却流体Ａの蒸発器出口温度設定値ｔｏｓに対して、その切り換え直後における被冷却流体Ａの蒸発器出口温度ｔｏが未だ低温であるため、蒸発圧力制御弁ＭＶｅの開度が制御手段により急激に閉じ側に調整されて圧縮機吸込圧力ｐｓが急激に低下し、それが原因で、いわゆる低圧保護機能が作動して圧縮機が自動停止してしまう可能性がある。
【００３４】
これに対し、この第７特徴構成の冷却装置によれば、低温モード運転から高温モード運転への移行において上記高温側過渡運転を介在させることにより、上記の如き圧縮機吸込圧力ｐｓの急激な低下による圧縮機の自動停止を防止することができ、これにより、装置の運転を安定的に保った状態で低温モード運転から高温モード運転へ円滑に移行することができる。
【００３５】
本発明の第８特徴構成は上記冷却装置に係り、その特徴は、
前記制御手段は、高温側過渡運転において、
蒸発圧力制御弁ＭＶｅを全開にするとともに、膨張弁Ｅｘの開度を高温側過渡運転の開始時における開度に保持した状態で、圧縮機出力Ｇの調整により圧縮機吸込圧力ｐｓを圧縮機吸込圧力上限値ｐｓｕに調整する制御を開始し、
その後、圧縮機吸込圧力ｐｓが圧縮機吸込圧力上限値ｐｓｕに至るまでの間、膨張弁Ｅｘの開度変化速度を緩速度に制限した状態での膨張弁開度の調整により圧縮機吸込圧力飽和温度ｔｐｓにおける過熱度ｓｈを過熱度設定値ｓｈｓに調整する制御を実行する構成にしてある点にある。
【００３６】
この第８特徴構成の冷却装置によれば、高温側過渡運転において制御手段が膨張弁Ｅｘの開度調整による過熱度調整も含めた上記の如き制御を実行することで、低温モード運転から高温モード運転への移行を一層円滑かつ安定的なものにすることができる。
【００３７】
本発明の第９特徴構成は上記冷却装置に係り、その特徴は、
前記制御手段は、圧縮機吸込圧力設定値ｐｓｓが圧縮機吸込圧力上限値ｐｓｕより高い値（ｐｓｓ＞ｐｓｕ）から圧縮機吸込圧力上限値ｐｓｕ以下の値（ｐｓｓ≦ｐｓｕ）になったとき、高温モード運転から低温モード運転へ移行する低温側過渡運転として、
適当時間Ｔの間、圧縮機出力Ｇの調整により圧縮機吸込圧力ｐｓを圧縮機吸込圧力上限値ｐｓｕに調整する制御を維持するとともに、蒸発圧力制御弁ＭＶｅの開度の調整による蒸発圧力ｐｅの調整により被冷却流体Ａの蒸発器出口温度ｔｏを蒸発器出口温度設定値ｔｏｓに調整する制御を維持して、高温モード運転を保持し、
続いて、蒸発圧力制御弁ＭＶｅの開度をそのときの開度に保持した状態で圧縮機出力Ｇの調整により圧縮機吸込圧力ｐｓを圧縮機吸込圧力設定値ｐｓｓに調整する制御を開始し、
更に続いて、圧縮機吸込圧力ｐｓが圧縮機吸込圧力設定値ｐｓｓに至った後に、圧縮機出力Ｇの調整により圧縮機吸込圧力ｐｓを圧縮機吸込圧力設定値ｐｓｓに調整する制御を継続しながら、蒸発圧力制御弁ＭＶｅの開度変化速度を緩速度に制限した状態で蒸発圧力制御弁ＭＶｅの開度を全開開度まで増大させる制御を開始し、
その後、蒸発圧力制御弁ＭＶｅの開度が全開開度に至った後に、圧縮機出力Ｇの調整による蒸発圧力ｐｅの調整により被冷却流体Ａの蒸発器出口温度ｔｏを蒸発器出口温度設定値ｔｏｓに調整する制御を開始して、低温モード運転に移行する構成にしてある点にある。
【００３８】
前記冷却装置において、被冷却流体Ａの蒸発器出口温度設定値ｔｏｓが低温側へ変更されて、圧縮機吸込圧力設定値ｐｓｓが圧縮機吸込圧力上限値ｐｓｕより高い値（ｐｓｓ＞ｐｓｕ）から圧縮機吸込圧力上限値ｐｓｕ以下の値（ｐｓｓ≦ｐｓｕ）になったとき、それまでの高温モード運転を直ちに低温モード運転に切り換えると、蒸発圧力制御弁ＭＶｅが全開になることで圧縮機吸込圧力ｐｓが急激に高くなる、また、低温側へ変更された被冷却流体Ａの蒸発器出口温度設定値ｔｏｓに対して、切り換え直後における被冷却流体Ａの蒸発器出口温度ｔｏが未だ高温であるため、圧縮機出力Ｇが制御手段により急激に増大側に調整されるといったことが生じる。
【００３９】
そしてまた、その圧縮機出力Ｇの急激な増大に対して、蒸発器熱容量により被冷却流体Ａの蒸発器出口温度ｔｏの低温側への変化に遅れが生じ、そのことで、圧縮機吸込圧力ｐｓが過度に低下して、やはり低圧保護機能による圧縮機の自動停止が生じる可能性もある。
【００４０】
これに対し、この第９特徴構成の冷却装置によれば、高温モード運転から低温モード運転への移行において上記低温側過渡運転を介在させることにより、上記の如き装置運転の不安定化や圧縮機吸込圧力ｐｓの過度な低下による圧縮機の自動停止を防止することができ、これにより、装置の運転を安定的に保った状態で高温モード運転から低温モード運転へ円滑に移行することができる。
【００４１】
本発明の第１０特徴構成は上記冷却装置に係り、その特徴は、
前記制御手段は、低温側過渡運転において、
適当時間Ｔの間、高温モード運転を保持した後、蒸発圧力制御弁ＭＶｅの開度をそのときの開度に保持するとともに膨張弁Ｅｘの開度をそのときの開度に保持した状態で圧縮機出力Ｇの調整により圧縮機吸込圧力ｐｓを圧縮機吸込圧力設定値ｐｓｓに調整する制御を開始し、
その後、圧縮機出力Ｇの調整により圧縮機吸込圧力ｐｓを圧縮機吸込圧力設定値ｐｓｓに調整する制御を継続しながら、蒸発圧力制御弁ＭＶｅの開度変化速度を緩速度に制限した状態で蒸発圧力制御弁の開度ＭＶｅを全開開度まで増大させる制御を開始して、蒸発圧力制御弁ＭＶｅの開度が全開開度に至るまでの間、膨張弁Ｅｘの開度変化速度を緩速度に制限した状態での膨張弁開度の調整により圧縮機吸込圧力飽和温度ｔｐｓにおける過熱度ｓｈを過熱度設定値ｓｈｓに調整する制御を実行する構成にしてある点にある。
【００４２】
この第１０特徴構成の冷却装置によれば、低温側過渡運転において制御手段が膨張弁の開度調整による過熱度調整を含めて上記の如き制御を実行することで、高温モード運転から低温モード運転への移行を一層円滑かつ安定的なものにすることができる。
【００４３】
本発明の第１１特徴構成は上記冷却装置に係り、その特徴は、
圧縮機冷媒出口を圧縮機冷媒入口に短絡する第１短絡路を設けるとともに、凝縮器冷媒出口を圧縮機冷媒入口に短絡する第２短絡路を設け、
第１短絡路に、その第１短絡路を開閉するとともに第１短絡路を通じた圧縮機吐出冷媒の短絡流量ｑ１を調整する第１制御弁を介在させ、
第２短絡路に、その第２短絡路を開閉するとともに第２短絡路を通じた凝縮器送出冷媒の短絡流量ｑ２を調整する第２制御弁を介在させ、
前記制御手段は、圧縮機回転数ｎが圧縮機回転数下限値ｎｄより大きい状態（ｎ＞ｎｄ）では、
第１短絡路を第１制御弁により閉じるとともに第２短絡路を第２制御弁により閉じた状態で、圧縮機回転数ｎの調整により圧縮機出力Ｇを調整し、
圧縮機回転数ｎが圧縮機回転数下限値ｎｄに至った状態（ｎ＝ｎｄ）では、
第２短絡路を通じた凝縮器送出冷媒の短絡流量ｑ２を第２制御弁により調整して圧縮機入口冷媒温度ｔｓを圧縮機入口冷媒温度設定値ｔｓｓに調整するとともに、第１短絡路を通じた圧縮機吐出冷媒の短絡流量ｑ１を第１制御弁により調整することで、圧縮機出力Ｇを調整する構成にしてある点にある。
【００４４】
この第１１特徴構成の冷却装置では、圧縮機回転数ｎが圧縮機回転数下限値ｎｄより大きい状態では、圧縮機回転数ｎの調整により圧縮機出力Ｇ（換言すれば、被冷却流体に対する蒸発器の冷却能力）を調整し、圧縮機回転数ｎが圧縮機回転数下限値ｎｄに至った状態では、第１短絡路を通じた圧縮機吐出冷媒の短絡流量ｑ１及び第２短絡路を通じた凝縮器送出冷媒の短絡流量ｑ２を第１，第２制御弁により調整することで圧縮機出力Ｇを調整する。
【００４５】
従って、この第１１特徴構成の冷却装置によれば、被冷却流体の冷却において要求される温度調整範囲に対して冷凍回路の調整のみで対応する方式としながらも、単に圧縮機回転数ｎの調整だけで圧縮機出力Ｇを調整するのに比べ、対応可能な温度調整範囲を一層効果的に拡大することができる。
【００４６】
また、この第１１特徴構成の冷却装置によれば、短絡流量ｑ１，ｑ２の調整により圧縮機出力Ｇを調整する際、第２短絡路を通じた凝縮器送出冷媒の短絡流量ｑ２を調整することで、圧縮機入口冷媒温度ｔｓを圧縮機入口冷媒温度設定値ｔｓｓに調整するから、圧縮機のオーバーヒートを一層効果的に防止することができる。
【図面の簡単な説明】
【００４７】
【図１】直膨式空調装置の冷媒回路及び装置構成を示す図
【図２】圧縮機出力調整のフローチャート
【図３】蒸発器出口温度設定値と圧縮機吸込圧力設定値との関係を示すモリエル線図
【図４】運転選択の基本フローチャート
【図５】低温モード運転及び高温モード運転の運転形態を示すモリエル線図
【図６】低温モード運転での実行制御のフローチャート
【図７】高温モード運転での実行制御のフローチャート
【図８】運転選択を詳細フローチャート
【図９】高温側過渡運転のフローチャート
【図１０】低温側過渡運転のフローチャート
【発明を実施するための形態】
【００４８】
図１は本発明による流体冷却装置の一例である直膨式空調装置を示し、この空調装置の冷媒回路Ｋｒでは、圧縮機Ｃｍの運転により冷媒Ｒを圧縮機Ｃｍ−凝縮器Ｃｏ−電子膨張弁Ｅｘ−蒸発器Ｅｖ―蒸発圧力制御弁ＭＶｅ―アキュムレータＡｑ−圧縮機Ｃｍの順に循環させることで、図３のモリエル線図に示す如き蒸気圧縮式の冷凍回路Ｃｒを形成する。
【００４９】
そして、この空調装置では、蒸発器Ｅｖを空気冷却用の熱交換器として機能させ、この蒸発器Ｅｖにおいて被冷却流体である空気Ａを蒸発過程の冷媒Ｒと熱交換させることで、冷媒蒸発に伴う気化熱奪取により空気Ａを冷却し、冷却後の空気Ａをファン１により給気風路を通じて空調対象室に供給することで、その空調対象室を所定温度の冷房状態にする。
【００５０】
冷媒回路Ｋｒにおける蒸発器Ｅｖの冷媒出口からアキュムレータＡｑの冷媒入口にわたる冷媒路部分には蒸発圧力制御弁ＭＶｅを介在させてあり、この蒸発圧力制御弁ＭＶｅは、その弁開度を調整することにより蒸発器Ｅｖにおける冷媒圧力（蒸発圧力ｐｅ）を調整する弁である。
【００５１】
また、冷媒回路Ｋｒには、圧縮機Ｃｍの冷媒出口をアキュムレータＡｑを通じて圧縮機Ｃｍの冷媒入口に短絡する第１短絡路２を設けるとともに、凝縮器Ｃｏの冷媒出口を同じくアキュムレータＡｑを通じて圧縮機Ｃｍの冷媒入口に短絡する第２短絡路３を設けてあり、具体的には、第１短絡路２の下流部分と第２短絡路３の下流部分とは共通の合流路とし、この合流路を蒸発圧力制御弁ＭＶｅの冷媒出口からアキュムレータＡｑの冷媒入口にわたる冷媒路部分に接続してある。
【００５２】
第１短絡路２には、第１制御弁として、第１短絡路２を開閉する第１開閉弁ＳＶ１と、第１短絡路２を通じた圧縮機吐出冷媒Ｒの短絡流量ｑ１を調整する第１流量調整弁ＭＶ１とを介在させてあり、同様に、第２短絡路３には、第２制御弁として、第２短絡路３を開閉する第２開閉弁ＳＶ２と、第２短絡路３を通じた凝縮器送出冷媒Ｒの短絡流量ｑ２を調整する第２流量調整弁ＭＶ２とを介在させてある。
【００５３】
４は冷媒回路Ｋｒの運転制御を司る制御器（特許請求の範囲で言う制御手段）であり、この制御器４は冷媒回路Ｋｒの各部に配備したセンサの測定情報に基づいて圧縮機Ｃｍ並びに各弁を制御する。
【００５４】
センサとしては、被冷却空気Ａの蒸発器出口温度ｔｏ（即ち、蒸発器Ｅｖで冷却した空気Ａの温度）測定する温度センサＳ１、上記蒸発圧力ｐｅを測定する圧力センサＳ２、圧縮機Ｃｍの冷媒入口における冷媒Ｒの圧力ｐｓ（即ち、圧縮機吸込圧力）を測定する圧力センサＳ３、同じく圧縮機Ｃｍの冷媒入口における冷媒Ｒの温度ｔｓ（即ち、圧縮機入口冷媒温度）を測定する温度センサＳ４などを装備してある。
【００５５】
ここで、制御器４は、圧縮機Ｃｍの出力Ｇ（換言すれば、被冷却空気Ａに対する蒸発器Ｅｖの冷却能力）を調整するのに、図２に示すように、インバータｉｎｖによる圧縮機回転数ｎの調整が可能な範囲（例えば、４０％回転数〜１００％回転数）では、第１開閉弁ＳＶ１及び第２開閉弁ＳＶ２を閉弁状態に保って、第１短絡路２及び第２短絡路３を通じた冷媒短絡を断った状態で、インバータｉｎｖによる圧縮機回転数ｎの調整により圧縮機出力Ｇを調整する。
【００５６】
また、その圧縮機回転数ｎの調整において圧縮機回転数ｎが調整範囲の下限である圧縮機回転数下限値ｎｄに至った状態では、同図２に示すように、圧縮機回転数ｎを圧縮機回転数下限値ｎｄに保持し、かつ、第１開閉弁ＳＶ１及び第２開閉弁ＳＶ２を開弁して第１短絡路２及び第２短絡路３を通じた冷媒短絡を生じさせる。
【００５７】
そして、この状態で、温度センサＳ４により測定される圧縮機入口冷媒温度ｔｓに基づき、第２短絡路３を通じた凝縮器送出冷媒Ｒの短絡流量ｑ２を第２流量調整弁ＭＶ２により調整して、圧縮機入口冷媒温度ｔｓを圧縮機入口冷媒温度設定値ｔｓｓに調整しながら、第１短絡路２を通じた圧縮機吐出冷媒Ｒの短絡流量ｑ１を第１流量調整弁ＭＶ１により調整して合計短絡流量（ｑ１＋ｑ２）を調整することで、圧縮機出力Ｇを調整する構成にしてある。
【００５８】
制御器４は、温度設定部５において設定される被冷却空気Ａの蒸発器出口温度設定値ｔｏｓに応じて低温モード運転か高温モード運転かのいずれかを選択的に実施する構成にしてあり、具体的には図３，図４に示すように、制御器４は温度設定部５において被冷却空気Ａの蒸発器出口温度設定値ｔｏｓが変更される毎に、次の（ａ１）〜（ａ４）の運転選択により、低温モード運転を実施するか、あるいは、高温モード運転を実施するかを選択する。
【００５９】
＜運転選択（基本）＞
（ａ１）温度設定部５において新たに設定された被冷却空気Ａの蒸発器出口温度設定値ｔｏｓから蒸発器伝熱壁の内外温度差Δｔを減算した値を蒸発温度設定値ｔｅｓ（＝ｔｏｓ−Δｔ）とする。
【００６０】
（ａ２）蒸発温度ｔｅと蒸発圧力ｐｅとの相関に従って蒸発温度設定値ｔｅｓをそれに対応する蒸発圧力設定値ｐｅｓに換算する。
【００６１】
（ａ３）蒸発圧力設定値ｐｅｓから蒸発圧力制御弁ＭＶｅでの圧力損失値Δｐを減算した値を圧縮機吸込圧力設定値ｐｓｓ（＝ｐｅｓ−Δｐ）として設定する。
【００６２】
（ａ４）圧縮機吸込圧力設定値ｐｓｓが圧縮機吸込圧力ｐｓの許容範囲上限である圧縮機吸込圧力上限値ｐｓｕ以下のとき（ｐｓｓ≦ｐｓｕ）には、低温モード運転の実施を選択し、圧縮機吸込圧力設定値ｐｓｓが圧縮機吸込圧力上限値ｐｓｕより高いとき（ｐｓｓ＞ｐｓｕ）には、高温モード運転の実施を選択する。
【００６３】
なお、蒸発器伝熱壁の内外温度差Δｔ及び蒸発圧力制御弁ＭＶｅでの圧力損失値Δｐは、夫々、装置の設計値データや装置の試験運転において収集した測定値データなどに基づいて制御器４の記憶部に予め記憶させてあるデータ値である。
【００６４】
この運転選択において低温モード運転が選択された場合、次の（ｂ１）〜（ｂ３）の制御の実行により冷温モード運転を実施する（図５の左図（ａ）及び図６参照）。
【００６５】
＜低温モード運転＞
（ｂ１）蒸発圧力制御弁ＭＶｅを全開に保持する。
【００６６】
（ｂ２）温度センサＳ１による測定される被冷却空気Ａの蒸発器出口温度ｔｏに基づいて、圧縮機出力Ｇの調整による蒸発圧力ｐｅの調整により、被冷却空気Ａの蒸発器出口温度ｔｏを蒸発器出口温度設定値ｔｏｓに調整する。………〈圧縮機出力Ｇの調整による蒸発器出口温度制御〉
【００６７】
（ｂ３）圧力センサＳ３により測定される圧縮機吸込圧力ｐｓ及び温度センサＳ４により測定される圧縮機入口冷媒温度ｔｓに基づき、電子膨張弁Ｅｘの開度をＰＩＤ制御などにより通常速度で調整して、圧縮機吸込圧力飽和温度ｔｐｓにおける過熱度ｓｈを過熱度設定値ｓｈｓに調整する。………〈圧縮機吸込圧力飽和温度ｔｐｓにおける通常過熱度制御〉
【００６８】
一方、運転選択において高温モード運転が選択された場合、次の（ｃ１）〜（ｃ３）の制御の実行により高温モード運転を実施する（図５の右図（ｃ）及び図７参照）。
【００６９】
＜高温モード運転＞
（ｃ１）圧力センサＳ３により測定される圧縮機吸込圧力ｐｓに基づいて、圧縮機出力Ｇの調整により、圧縮機吸込圧力ｐｓを圧縮機吸込圧力上限値ｐｓｕに調整する。………〈圧縮機出力Ｇの調整による圧縮機吸込圧力上限保持制御〉
【００７０】
（ｃ２）温度センサＳ１による測定される被冷却空気Ａの蒸発器出口温度ｔｏに基づき、蒸発圧力制御弁ＭＶｅの開度をＰＩＤ制御などにより通常速度で調整して蒸発圧力ｐｅを調整し、この蒸発圧力制御弁ＭＶｅの開度調整による蒸発圧力ｐｅの調整により、被冷却空気Ａの蒸発器出口温度ｔｏを蒸発器出口温度設定値ｔｏｓに調整する。………〈蒸発圧力制御弁ＭＶｅによる蒸発器出口温度制御〉
【００７１】
（ｃ３）圧力センサＳ３により測定される圧縮機吸込圧力ｐｓ及び温度センサＳ４により測定される圧縮機入口冷媒温度ｔｓに基づき、電子膨張弁Ｅｘの開度をＰＩＤ制御などにより通常速度で調整して、圧縮機吸込圧力飽和温度ｔｐｓにおける過熱度ｓｈを過熱度設定値ｓｈｓに調整する。………〈圧縮機吸込圧力飽和温度ｔｐｓにおける通常過熱度制御〉
【００７２】
つまり、この空調装置では、被冷却空気Ａの蒸発器出口温度設定値ｔｏｓが高温で、低温モード運転では圧縮機吸込圧力ｐｓ（圧縮機吸込圧力設定値ｐｓｓに相当）が圧縮機吸込圧力上限値ｐｓｕを越えて圧縮機吸込圧力ｐｓの許容範囲を高圧側に逸脱してしまう状況において高温モード運転を実施する。
【００７３】
そして、この高温モード運転において、圧縮機吸込圧力ｐｓをその許容範囲の上限である圧縮機吸込圧力上限値ｐｓｕに保持した状態で、蒸発圧力制御弁ＭＶｅの開度調整により被冷却空気Ａの蒸発器出口温度ｔｏを蒸発器出口温度設定値ｔｏｓに調整することで、蒸発器Ｅｖで冷却対象空気Ａを直接に冷却する直膨方式を採りながらも、空調対象室に供給する冷却空気Ａの温度調整範囲（即ち、蒸発器出口温度設定値ｔｏｓの変更許容範囲）を大きく確保できるようにしてある。
【００７４】
また、電子膨張弁Ｅｘの開度調整による過熱度調整において、蒸発温度ｔｅにおける過熱度ｓｈ′を過熱度設定値ｓｈｓ′に調整する一般の調整方式を採った場合、図５の右図（ｃ）に破線で示すように圧縮機入口冷媒温度ｔｓ′がかなり高くなることに対し、この空調装置では低温モード運転及び高温モード運転の夫々において、圧縮機吸込圧力飽和温度ｔｐｓにおける過熱度ｓｈを電子膨張弁Ｅｘの開度調整により過熱度設定値ｓｈｓに調整する過熱度調整方式にすることで、圧縮機入口冷媒温度ｔｓの高温化を回避して圧縮機Ｃｍのオーバーヒートを一層確実に防止するようにしてある。
【００７５】
制御器４は、被冷却空気Ａの蒸発器出口温度設定値ｔｏｓが変更される毎に前記の運転選択（図５）により低温モード運転か高温モード運転かのいずれかを選択する際、詳しくは図８に示すように、蒸発器出口温度設定値ｔｏｓの変更前における圧縮機吸込圧力設定値ｐｓｓと圧縮機吸込圧力上限値ｐｓｕとの大小関係の判定（＃１）を行なうとともに、蒸発器出口温度設定値ｔｏｓの変更後における圧縮機吸込圧力設定値ｐｓｓと圧縮機吸込圧力上限値ｐｓｕとの大小関係の判定（＃２，＃３）を行う構成にしてある。
【００７６】
即ち、制御器４は、これら大小関係の判定（＃１〜＃３）により、蒸発器出口温度設定値ｔｏｓの変更前に低温モード運転を実施していた場合において、蒸発器出口温度設定値ｔｏｓの変更に伴い低温モード運転から高温モード運転に移行する必要があるか否かを判別し、また、蒸発器出口温度設定値ｔｏｓの変更前に高温モード運転を実施していた場合において、蒸発器出口温度設定値ｔｏｓの変更に伴い高温モード運転から低温モード運転に移行する必要があるか否かを判別する。
【００７７】
そして、制御器４は、この判別結果として、蒸発器出口温度設定値ｔｏｓの変更前に低温モード運転を実施していた場合において、蒸発器出口温度設定値ｔｏｓの変更に伴い低温モード運転から高温モード運転に移行する必要がない場合には、蒸発器出口温度設定値ｔｏｓの変更後も継続して低温モード運転を実施（＃４）する。
【００７８】
また、蒸発器出口温度設定値ｔｏｓの変更前に低温モード運転を実施していた場合において、蒸発器出口温度設定値ｔｏｓの変更に伴い低温モード運転から高温モード運転に移行する必要がある場合には、蒸発器出口温度設定値ｔｏｓの変更後、高温側過渡運転を実施（＃５）した上で高温モード運転（＃６）に移行する。
【００７９】
同様に、制御器４は、上記判別結果として、蒸発器出口温度設定値ｔｏｓの変更前に高温モード運転を実施していた場合において、蒸発器出口温度設定値ｔｏｓの変更に伴い高温モード運転から低温モード運転に移行する必要がない場合には、蒸発器出口温度設定値ｔｏｓの変更後も継続して高温モード運転を実施（＃７）する。
【００８０】
また、蒸発器出口温度設定値ｔｏｓの変更前に高温モード運転を実施していた場合において、蒸発器出口温度設定値ｔｏｓの変更に伴い高温モード運転から低温モード運転に移行する必要がある場合には、蒸発器出口温度設定値ｔｏｓの変更後、低温側過渡運転を実施（＃８）した上で高温モード運転（＃９）に移行する。
【００８１】
そして、制御器４は、低温モード運転から高温モード運転への移行時に介在させる高温側過渡運転において次の（ｄ１）〜（ｄ４）の制御を実行する（図９及び図５参照）。
【００８２】
＜高温側過渡運転＞
（ｄ１）蒸発圧力制御弁ＭＶｅを全開にするとともに、電子膨張弁Ｅｘの開度を高温側過渡運転の開始時における開度に保持する。
【００８３】
（ｄ２）圧力センサＳ３により測定される圧縮機吸込圧力ｐｓに基づいて、圧縮機出力Ｇの調整により圧縮機吸込圧力ｐｓを圧縮機吸込圧力上限値ｐｓｕに調整する制御を開始する。………〈圧縮機出力Ｇの調整による圧縮機吸込圧力上限保持制御の開始〉
【００８４】
（ｄ３）圧縮機吸込圧力ｐｓが圧縮機吸込圧力上限値ｐｓｕに至るまでの間、電子膨張弁Ｅｘの開度を所定の緩速度で調整して、圧縮機吸込圧力飽和温度ｔｐｓにおける過熱度ｓｈを過熱度設定値ｓｈｓに調整する。………〈圧縮機吸込圧力飽和温度ｔｐｓにおける緩速度過熱度制御〉
【００８５】
（ｄ４）圧力センサＳ３により測定される圧縮機吸込圧力ｐｓが圧縮機吸込圧力上限値ｐｓｕに至った後、温度センサＳ１による測定される被冷却空気Ａの蒸発器出口温度ｔｏに基づいて、蒸発圧力制御弁ＭＶｅの開度をＰＩＤ制御などにより通常速度で調整して蒸発圧力ｐｅを調整し、この蒸発圧力制御弁ＭＶｅの開度調整による蒸発圧力ｐｅの調整により被冷却空気Ａの蒸発器出口温度ｔｏを蒸発器出口温度設定値ｔｏｓに調整する制御を開始する。………〈蒸発圧力制御弁ＭＶｅによる蒸発器出口温度制御の開始〉
【００８６】
また、圧力センサＳ３により測定される圧縮機吸込圧力ｐｓ及び温度センサＳ４により測定される圧縮機入口冷媒温度ｔｓに基づき、電子膨張弁Ｅｘの開度をＰＩＤ制御などにより通常速度で調整して、圧縮機吸込圧力飽和温度ｔｐｓにおける過熱度ｓｈを過熱度設定値ｓｈｓに調整する制御を開始する。………〈圧縮機吸込圧力飽和温度ｔｐｓにおける通常過熱度制御の開始〉
【００８７】
即ち、これら制御の開始をもって高温モード運転への移行を完了する。
【００８８】
一方、制御器４は、高温モード運転から低温モード運転への移行時に介在させる低温側過渡運転において次の（ｅ１）〜（ｅ４）の制御を実行する（図１０及び図５参照）。
【００８９】
＜低温側過渡運転＞
（ｅ１）蒸発器出口温度設定値ｔｏｓの変更後、適当時間Ｔの間、圧力センサＳ３により測定される圧縮機吸込圧力ｐｓに基づき圧縮機出力Ｇの調整により圧縮機吸込圧力ｐｓを圧縮機吸込圧力上限値ｐｓｕに調整する制御を維持する。………〈圧縮機出力Ｇの調整による圧縮機吸込圧力上限保持制御の維持〉
【００９０】
また同様に、蒸発器出口温度設定値ｔｏｓの変更後、適当時間Ｔの間、温度センサＳ１による測定される被冷却空気Ａの蒸発器出口温度ｔｏに基づき蒸発圧力制御弁ＭＶｅの開度調整による蒸発圧力ｐｅを調整して、被冷却空気Ａの蒸発器出口温度ｔｏを蒸発器出口温度設定値ｔｏｓに調整する制御を維持する。………〈蒸発圧力制御弁ＭＶｅによる蒸発器出口温度制御の維持〉
【００９１】
即ち、これら制御の維持により、蒸発器出口温度設定値ｔｏｓの変更後も適当時間Ｔの間、高温モード運転を維持する。
【００９２】
（ｅ２）適当時間Ｔの間、高温モード運転を保持した後、蒸発圧力制御弁ＭＶｅの開度をそのときの開度に保持するとともに、電子膨張弁Ｅｘの開度をそのときの開度に保持した状態で、温度センサＳ１による測定される被冷却空気Ａの蒸発器出口温度ｔｏに基づき、圧縮機出力Ｇの調整により圧縮機吸込圧力ｐｓを圧縮機吸込圧力設定値ｐｓｓに調整する。………〈圧縮機出力Ｇの調整による蒸発器出口温度制御の準備〉
【００９３】
（ｅ３）圧縮機吸込圧力ｐｓが圧縮機吸込圧力設定値ｐｓｓに至るまでの間、電子膨張弁Ｅｘの開度を所定の緩速度で調整して、圧縮機吸込圧力飽和温度ｔｐｓにおける過熱度ｓｈを過熱度設定値ｓｈｓに調整する。………〈圧縮機吸込圧力飽和温度ｔｐｓにおける緩速度過熱度制御〉
【００９４】
（ｅ４）圧力センサＳ３により測定される圧縮機吸込圧力ｐｓが圧縮機吸込圧力設定値ｐｓｓに至った後、圧縮機出力Ｇの調整により圧縮機吸込圧力ｐｓを圧縮機吸込圧力設定値ｐｓｓに調整する制御、及び、電子膨張弁Ｅｘの開度を所定の緩速度で調整して圧縮機吸込圧力飽和温度ｔｐｓにおける過熱度ｓｈを過熱度設定値ｓｈｓに調整する制御を継続しながら、蒸発圧力制御弁ＭＶｅの開度を所定の緩速度で全開開度まで増大させる。
【００９５】
（ｅ５）蒸発圧力制御弁ＭＶｅの開度が全開開度に至った後、温度センサＳ１による測定される被冷却空気Ａの蒸発器出口温度ｔｏに基づき、圧縮機出力Ｇの調整による蒸発圧力ｐｅの調整により被冷却空気Ａの蒸発器出口温度ｔｏを蒸発器出口温度設定値ｔｏｓに調整する制御を開始する。………〈圧縮機出力Ｇの調整による蒸発器出口温度制御の開始〉
【００９６】
また、圧力センサＳ３により測定される圧縮機吸込圧力ｐｓ及び温度センサＳ４により測定される圧縮機入口冷媒温度ｔｓに基づき、電子膨張弁Ｅｘの開度をＰＩＤ制御などにより通常速度で調整して、圧縮機吸込圧力飽和温度ｔｐｓにおける過熱度ｓｈを過熱度設定値ｓｈｓに調整する制御を開始する。………〈圧縮機吸込圧力飽和温度ｔｐｓにおける通常過熱度制御の開始〉
【００９７】
即ち、これら制御の開始により低温モード運転への移行を完了する。
【００９８】
つまり、この空調装置では、低温モード運転から高温モード運転への移行において上記高温側過渡運転を介在させ、また、高温モード運転から低温モード運転への移行において上記低温側過渡運転を介在させることにより、低圧保護機能により圧縮機Ｃｍが自動停止するなどの運転支障を回避した状態で、低温モード運転から高温モード運転への移行、及び、高温モード運転から低温モード運転への移行を夫々、円滑に行なわせるようにしてある。
【００９９】
〔別実施形態〕
上述の実施形態では、空調用空気Ａを被冷却流体として蒸発器Ｅｖで直接に冷却する直膨式空調の例を示したが、蒸発器Ｅｖで冷却する冷却対象流体は空気以外の気体あるいは水などの液体であってもよい。
【０１００】
蒸発器Ｅｖで冷却した被冷却流体Ａの用途も、環境試験室やクリーンルームなどの室内冷却（冷房）に限らず、物品の冷却や機器の冷却などであってもよい。
【０１０１】
被冷却流体Ａの蒸発器出口温度設定値ｔｏｓに対応する圧縮機吸込圧力設定値ｐｓｓを設定するのに、被冷却流体Ａの蒸発器出口温度設定値ｔｏｓとそれに対応する圧縮機吸込圧力設定値ｐｓｓとを予め書き込んだデータテーブルを設けておき、このデータテーブルを用いて被冷却流体Ａの蒸発器出口温度設定値ｔｏｓに対応する圧縮機吸込圧力設定値ｐｓｓを設定するようにしてもよい。
【０１０２】
被冷却流体Ａの蒸発器出口温度設定値ｔｏｓは人為操作により設定するものに限らず、空調対象室の室内温度設定値や測定室内温湿度などに基づいて自動的に設定するものであってもよい。
【０１０３】
上述の実施形態では、圧縮機回転数ｎが圧縮機回転数下限値ｎｄに至った状態において、第１短絡路２及び第２短絡路３を通じた冷媒短絡流量ｑ１，ｑ２の調整により圧縮機出力Ｇを調整するようにしたが、この冷媒短絡流量ｑ１，ｑ２の調整による圧縮機出力Ｇの調整を省略して、圧縮機回転数ｎの調整のみにより圧縮機出力Ｇを調整するようにしてもよい。
【０１０４】
前述の実施形態では、冷媒回路ＫｒにアキュムレータＡｑを介装した例を示したが、圧縮機Ｃｍの運転停止時において液冷媒や潤滑油を回収できて冷媒回路Ｋｒに液冷媒や潤滑油が残らないようにできる場合などでは、このアキュムレータＡｑを省略してもよい。
【０１０５】
また、低温側過渡運転の初期において高温モード運転を保持する時間Ｔは、予め定めた所定時間あるいは冷凍回路Ｃｒの運転状況等に応じてに変化する時間など、どのような時間であってもよく、少なくとも低温側過渡運転の初期において高温モード運転を保持する時間状態を現出させる時間であればよい。
【産業上の利用可能性】
【０１０６】
本発明よる流体冷却方法及び流体冷却装置は、各種分野における種々の冷却用途において用いることができる。
【符号の説明】
【０１０７】
Δｐ      圧力損失値
Δｔ      内外温度差
２        第１短絡路
３        第２短絡路
４        制御手段
Ａ        被冷却流体
Ｃｍ      圧縮機
Ｃｏ      凝縮器
Ｃｒ      冷凍回路
Ｅｖ      蒸発器
Ｅｘ      膨張弁
Ｇ        圧縮機出力
ＳＶ１    第１制御弁
ＭＶ１    第１制御弁
ＳＶ２    第２制御弁
ＭＶ２    第２制御弁
ＭＶｅ    蒸発圧力制御弁
Ｒ        冷媒
ｎ        圧縮機回転数
ｎｄ      圧縮機回転数下限値
ｐｅ      蒸発圧力
ｐｅｓ    蒸発圧力設定値
ｐｓ      圧縮機吸込圧力
ｐｓｓ    圧縮機吸込圧力設定値
ｐｓｕ    圧縮機吸込圧力上限値
ｑ１      短絡流量
ｑ２      短絡流量
ｓｈ      過熱度
ｓｈｓ    過熱度設定値
ｔｅ      蒸発温度
ｔｅｓ    蒸発温度設定値
ｔｏ      蒸発器出口温度
ｔｏｓ    蒸発器出口温度設定値
ｔｐｓ    圧縮機吸込圧力飽和温度
ｔｓ      圧縮機入口冷媒温度
ｔｓｓ    圧縮機入口冷媒温度設定値
【図１】
0005754627.tif 000002
【図２】
0005754627.tif 000003
【図３】
0005754627.tif 000004
【図４】
0005754627.tif 000005
【図５】
0005754627.tif 000006
【図６】
0005754627.tif 000007
【図７】
0005754627.tif 000008
【図８】
0005754627.tif 000009
【図９】
0005754627.tif 000010
【図１０】
0005754627.tif 000011